(57)【要約】      （修正有）【課題】仮止具の型枠への残存がなく作業時の取扱性に優れた、しかも低コストな構築用インサート及びその仮止具を提供する。【解決手段】足場の支持固定に用いられるインサート本体２と、インサート本体に螺合して型枠５の規定位置に穿かれた貫通孔５１に挿通することによりインサート本体を型枠の規定位置に仮固定するための仮止具１と、を有して成り、仮止具が、型枠の外側に露出するボルト頭部と、貫通孔より大径でありボルト頭部と型枠の外側面との間に位置することにより型枠内側への位置ズレ乃至は抜け落ちを防止するワッシャー部と、型枠の厚みと略等しい厚みであると共に貫通孔と略同径以下であり貫通孔に挿通されるスリーブ部と、インサート本体に螺合するボルト軸部と、を有し、さらにボルト頭部とワッシャー部とスリーブ部とボルト軸部とが一体的に樹脂成形された構成である。【選択図】図１
0003182737.tif 000002
【実用新案登録請求の範囲】
【請求項１】
コンクリート構築物のコンクリート内に埋設されることにより該コンクリート構築物に沿って組み立てる足場の支持固定に用いられるインサート本体と、該インサート本体に螺合してコンクリート打設用の型枠の規定位置に穿かれた貫通孔に挿通することにより前記インサート本体をコンクリート打設用の型枠の規定位置に仮固定するための仮止具と、を有して成り、
前記仮止具が、前記貫通孔に挿通した際に前記型枠の外側に露出するボルト頭部と、前記型枠の貫通孔の径より大径であり前記ボルト頭部と前記型枠の外側面との間に位置することにより仮止具の型枠内側への位置ズレ乃至は抜け落ちを防止するワッシャー部と、前記型枠の厚みと略等しい厚みであると共に前記貫通孔の内径と略同径以下であり前記貫通孔に挿通されるスリーブ部と、前記インサート本体に螺合するボルト軸部と、を有して成る構築用インサートであって、
前記仮止具が、ボルト頭部とワッシャー部とスリーブ部とボルト軸部とが一体的に樹脂成形された構成であることを特徴とする構築用インサート。
【請求項２】
ボルト頭部・ワッシャー部・スリーブ部・ボルト軸部が同種の樹脂で形成された構成であることを特徴とする請求項１に記載の構築用インサート。
【請求項３】
少なくとも一部の外径が前記貫通孔より大径であり前記構築用インサートを型枠に仮固定した際に該型枠外側への位置ズレ乃至は抜け落ちを防止するストッパー部材が、前記仮止具と前記インサート本体との間であって前記仮止具のボルト部に挿通された状態で配設される構成であることを特徴とする請求項１又は２に記載の構築用インサート。
【請求項４】
コン３をクリート構築物のコンクリート内に埋設されることにより該コンクリート構築物に沿って組み立てる足場の支持固定に用いられるインサート本体に螺合して、コンクリート打設用の型枠の規定位置に穿かれた貫通孔に挿通することにより前記インサート本体をコンクリート打設用の型枠の規定位置に仮固定する仮止具において、
前記貫通孔に挿通した際に前記型枠の外側に露出するボルト頭部と、前記型枠の貫通孔の径より大径であり前記ボルト頭部と前記型枠の外側面との間に位置することにより仮止具の型枠内側への位置ズレ乃至は抜け落ちを防止するワッシャー部と、前記型枠の厚みと略等しい厚みであると共に前記貫通孔の内径と略同径以下であり前記貫通孔に挿通されるスリーブ部と、前記インサート本体に螺合するボルト軸部と、を有して成る構築用インサートの仮止具であって、
前記仮止具が、ボルト頭部とワッシャー部とスリーブ部とボルト軸部とが一体的に樹脂成形された構成であることを特徴とする構築用インサートの仮止具。
【請求項５】
ボルト頭部・ワッシャー部・スリーブ部・ボルト軸部が同種の樹脂で形成された構成であることを特徴とする請求項４に記載の構築用インサートの仮止具。
【考案の詳細な説明】
【技術分野】
【０００１】
本考案は構築用インサート及びその仮止具に関し、詳しくはコンクリート構造物に沿って組み立てる足場を支持固定するためにコンクリート内に予め埋設されるインサートと、このインサートのインサート本体をコンクリート打設時の型枠に仮固定するための仮止具に関する。
【背景技術】
【０００２】
コンクリート構築物の構築に際し、該構築物に沿って組み立てる足場を支持固定する必要があり、この足場の支持固定は構築物のコンクリート内に予め埋設されたインサートを用いて行われている。
【０００３】
コンクリート内へのインサートの埋設は、仮止具が螺合されたインサート本体を規定された埋設されるように、この埋設位置に対面する型枠に前記仮止具を取り付けることにより前記インサート本体を規定埋設位置に配設させた後、コンクリートを打設することで行われている。
【０００４】
型枠へのインサートの固定を、インサート本体と仮止具をいったん分離することなく一体化した状態のものを型枠の外側から仮止用の貫通孔に圧入することにより他者の補助無しで可能とした技術が特許文献１に記載されている。
【先行技術文献】
【特許文献】
【０００５】
【特許文献１】特許３６３５２７２号
【考案の概要】
【考案が解決しようとする課題】
【０００６】
特許文献１に示す技術は、仮止具が、ボルト体と、型枠の厚み分を有すると共に仮止具を貫通孔に保持させるスリーブ体と、前記ボルト体のボルト頭部が型枠の貫通孔に入り込むのを防止するワッシャー体と、から構成されている。
【０００７】
特許文献１以前の技術では脱型前に型枠から仮止具を取り外す際に型枠の貫通孔内にスリーブ体が残存してしまう場合があったため、特許文献１の技術では仮止具のボルト体・ワッシャー体・スリーブ体の各々の当接部分に係合する凹凸部を設けて仮止具の取外時の回動の際にワッシャー体及びスリーブ体がボルト体と供回りするように構成することによって前記した型枠への残存の問題の解決を図っている。しかし、回動させたボルト体が弛むに連れて前記した係合が外れることがあり、供回りしなくなったワッシャー体やスリーブ体が型枠に残存してしまう場合があることが判った。
【０００８】
ところで構築用インサートは、製品としては、上記したボルト体・スリーブ体・ワッシャー体の計３部材から成る仮止具に、インサート本体と、型枠の貫通孔からの抜け落ちを防止するストッパー部材と、を加えた合計５部材から構成されたものを、工場等で組み付けた状態を完成品とする形態で販売・納品されている。
【０００９】
構築用インサートの内、実際に構築物のコンクリート内に埋設されて残存して機能するのは上記した５部材の内のインサート本体とストッパー部材の２部材のみであり、３部材から構成される仮止具は脱型後は再利用されることなく廃棄されている。
【００１０】
従って、この廃棄される部分である仮止具について可能な限り簡素な構成とすれば、より低コストな構築用インサートの提供が可能であることを本考案者は見出した。
【００１１】
そこで本考案の課題は、仮止具の型枠への残存がなく作業時の取扱性に優れた、しかも低コストな構築用インサート及びその仮止具を提供することにある。
【課題を解決するための手段】
【００１２】
上記課題を解決する本考案は下記構成を有する。
【００１３】
１．コンクリート構築物のコンクリート内に埋設されることにより該コンクリート構築物に沿って組み立てる足場の支持固定に用いられるインサート本体と、該インサート本体に螺合してコンクリート打設用の型枠の規定位置に穿かれた貫通孔に挿通することにより前記インサート本体をコンクリート打設用の型枠の規定位置に仮固定するための仮止具と、を有して成り、
前記仮止具が、前記貫通孔に挿通した際に前記型枠の外側に露出するボルト頭部と、前記型枠の貫通孔の径より大径であり前記ボルト頭部と前記型枠の外側面との間に位置することにより仮止具の型枠内側への位置ズレ乃至は抜け落ちを防止するワッシャー部と、前記型枠の厚みと略等しい厚みであると共に前記貫通孔の内径と略同径以下であり前記貫通孔に挿通されるスリーブ部と、前記インサート本体に螺合するボルト軸部と、を有して成る構築用インサートであって、
前記仮止具が、ボルト頭部とワッシャー部とスリーブ部とボルト軸部とが一体的に樹脂成形された構成であることを特徴とする構築用インサート。
【００１４】
２．ボルト頭部・ワッシャー部・スリーブ部・ボルト軸部が同種の樹脂で形成された構成であることを特徴とする上記１に記載の構築用インサート。
【００１５】
３．少なくとも一部の外径が前記貫通孔より大径であり前記構築用インサートを型枠に仮固定した際に該型枠外側への位置ズレ乃至は抜け落ちを防止するストッパー部材が、前記仮止具と前記インサート本体との間であって前記仮止具のボルト部に挿通された状態で配設される構成であることを特徴とする上記１又は２に記載の構築用インサート。
【００１６】
４．コンクリート構築物のコンクリート内に埋設されることにより該コンクリート構築物に沿って組み立てる足場の支持固定に用いられるインサート本体に螺合して、コンクリート打設用の型枠の規定位置に穿かれた貫通孔に挿通することにより前記インサート本体をコンクリート打設用の型枠の規定位置に仮固定する仮止具において、
前記貫通孔に挿通した際に前記型枠の外側に露出するボルト頭部と、前記型枠の貫通孔の径より大径であり前記ボルト頭部と前記型枠の外側面との間に位置することにより仮止具の型枠内側への位置ズレ乃至は抜け落ちを防止するワッシャー部と、前記型枠の厚みと略等しい厚みであると共に前記貫通孔の内径と略同径以下であり前記貫通孔に挿通されるスリーブ部と、前記インサート本体に螺合するボルト軸部と、を有して成る構築用インサートの仮止具であって、
前記仮止具が、ボルト頭部とワッシャー部とスリーブ部とボルト軸部とが一体的に樹脂成形された構成であることを特徴とする構築用インサートの仮止具。
【００１７】
５．ボルト頭部・ワッシャー部・スリーブ部・ボルト軸部が同種の樹脂で形成された構成であることを特徴とする上記４に記載の構築用インサートの仮止具。
【考案の効果】
【００１８】
請求項１に示す考案によれば、仮止具の型枠への残存がなく作業時の取扱性に優れた、しかも低コストな構築用インサートを提供することができる。
【００１９】
請求項４に示す考案によれば、仮止具の型枠への残存がなく作業時の取扱性に優れた、しかも低コストな構築用インサートの仮止具を提供することができる。
【００２０】
特に、請求項１又は４に示す考案によれば、仮止具を構成するボルト頭部・ワッシャー部・スリーブ部・ボルト軸部が一体的に樹脂成形された構成により、仮止具を脱型前に型枠から取り外す際に、ワッシャー体やスリーブ体が型枠側に残存してしまうことが皆無となる。
【００２１】
従来は、ボルト頭部とボルト軸部とから成るボルト体に、ワッシャー部を挿通し、スリーブ部を挿通して仮止具を完成させ、この仮止具のボルト軸部にストッパー部を挿通した後、インサート本体を螺合させる多段階の組立作業が必須であったが、仮止具が一つの部材となったことにより組立作業を著しく簡素化することができることにより、部品管理コスト・製造コスト・組立コストの面で低コスト化が図ることができる。
【００２２】
請求項２又は５に示す考案によれば、一体的に樹脂成形された仮止具は各構成部材が同種の樹脂で形成された構成により、使用後の仮止具は素材毎に分別する必要がないので、廃棄やリサイクルが極めて容易である。
【図面の簡単な説明】
【００２３】
【図１】本考案に係る構築用インサートの使用例を示す断面図
【図２】図１に示す構築用インサートの５面図（正面図、平面図、左側面図、右側面図、Ａ−Ａ断面図）
【図３】図１に示す構築用インサート（インサート本体及びストッパー部材は仮想線で示す）の５面図（正面図、平面図、左側面図、右側面図、Ａ−Ａ断面図）
【図４】図１に示す構築用インサートの仮止具のみを示す５面図（正面図、平面図、左側面図、右側面図、Ａ−Ａ断面図）
【考案を実施するための形態】
【００２４】
次に、添付の図面に従って本考案を説明する。
【００２５】
本考案に係る構築用インサート、及び該構築用インサートの仮止具の具体的構成例としては、図１〜図４に示すように、
コンクリート構築物のコンクリート４内に埋設されることにより該コンクリート構築物に沿って組み立てる足場の支持固定に用いられるインサート本体２と、該インサート本体２に螺合してコンクリート４の打設用の型枠５の規定位置に穿かれた貫通孔５１に挿通することにより前記インサート本体２をコンクリート４打設用の型枠５の規定位置に仮固定するための仮止具１と、を有して成り、
前記仮止具１が、前記貫通孔５１に挿通した際に前記型枠５の外側５Ａに露出するボルト頭部１１と、前記型枠５の貫通孔５１の径より大径であり前記ボルト頭部１１と前記型枠５の外側５Ａ面との間に位置することにより仮止具１の型枠５の内側５Ｂへの位置ズレ乃至は抜け落ちを防止するワッシャー部１２と、前記型枠５の厚みと略等しい厚みであると共に前記貫通孔５１の内径と略同径以下であり前記貫通孔５１に挿通されるスリーブ部１３と、前記インサート本体２に螺合するボルト軸部１４と、を有して成る構築用インサートにおいて、
前記仮止具１が、ボルト頭部１１とワッシャー部１２とスリーブ部１３とボルト軸部１４とが一体的に樹脂成形された構成である。
【００２６】
以下、本考案の構築用インサート及び仮止具１について更に詳説する。
【００２７】
インサート本体２は、この種のインサート部材として公知公用のものを特別の制限なく用いることができる。
【００２８】
インサート本体２には雌ネジ部２１が形成されている。該ネジ部２１は、型枠５への仮固定時には該雌ネジ部２１に仮止具１のボルト軸部１４がストッパー部材３を挿通した状態で螺合することにより打設されるコンクリート４内の規定位置に配設することができる。また、該雌ネジ部２１は、打設されたコンクリート４が硬化し、仮止具１が外され、型枠を脱型した後は、足場用のボルトが螺合されることによって足場構築に際しての該足場の支持固定を行うことができる。
【００２９】
また、インサート本体２にはアンカー部２２が設けられており、コンクリート４からの抜けを防止する機能を果たす。
【００３０】
更に、インサート本体２には断面が多角形状の胴部２３が設けられており、足場用のボルトを螺合した際のコンクリート４内における供回りを防止する機能を果たす。
【００３１】
ストッパー部材３は少なくとも一部の外径が型枠５に形成された貫通孔５１より大径であり、仮止具１・インサート本体２・該ストッパー部材３とを有して構成される構築用インサートを、型枠５の外側５Ａから該型枠５に形成された貫通孔５１に挿通して仮固定した際に型枠５外側方向への位置ズレや抜け落ちを防止するものである。該ストッパー部材３は、金属、合成樹脂、天然又は合成ゴム等で形成されることが好ましく、より好ましくは仮止具１と同種の樹脂製であり、とりわけ好ましくはＡＢＳ樹脂製である。尚また、ストッパー部材３は、打設したコンクリート４が硬化し、型枠４５を脱型した後も前記コンクリート４内に埋設された状態となる。
【００３２】
本考案の仮止具１は、上記したように、インサート本体２を打設されるコンクリート４内の規定位置に配設するために型枠５に仮固定するためのものであり、ボルト頭部１１、ワッシャー部１２、スリーブ部１３、ボルト軸部１４、とから構成され、本発明はこれらの各構成部材が一体的に樹脂成形された単一構成部材となっている。
【００３３】
更に、仮止具１は一体的に樹脂成形されるだけでなく、同種の樹脂で形成されていることが好ましい。仮止具１を構成する樹脂素材としては、この種のボルト・ナットに用いる材料として公知公用の素材を特別の制限なく挙げることができ、特にＡＢＳ樹脂であることが好ましい。
【００３４】
仮止具１は単独で用いられるのではなく、原則としてインサート本体２と組み合わせた一つの製品である構築用インサートとして販売されるものであり、コンクリート４の硬化後に型枠５から取り外された後は基本的には再利用されることなく廃棄される。
【００３５】
前者の組み合わせて一つの製品とする際、従来技術では、ボルト部（本考案のボルト頭部１１及びボルト軸部１４に相当）にワッシャー部とスリーブ部を挿通し、この挿通した状態を保ったままストッパー部材を挿通してインサート本体の雌ネジ部に螺合する作業が必要であるが、本考案の仮止具１ではボルト頭部１１・ワッシャー部１２・スリーブ部１３・ボルト軸部１４が一体的に樹脂成形されているので、仮止具１にストッパー部材３を挿通してインサート本体２に螺合するだけでよいため、組立作業を著しく簡素化することができることにより、部品管理コスト・製造コスト・組立コストの面で低コスト化を図ることができる。
【００３６】
後者の廃棄の際、従来技術は、ボルト部（本考案のボルト頭部１１及びボルト軸部１４に相当）、ワッシャー部、スリーブ部の各構成部材ごとに分離した後、これらを構成する素材毎に分別する必要があったが、本考案では該仮止具１は一体的に樹脂成形された一体物であるため、分離する必要もなければ分別する必要もなく、廃棄やリサイクルが極めて容易である。
【００３７】
なお、本考案において、仮止具１を色彩付けによって色別できるようにして、インサートの種類分けを判別可能にすることは好ましいことである。
【符号の説明】
【００３８】
１  仮止具
１１  ボルト頭部
１２  ワッシャー部
１３  スリーブ部
１４  ボルト軸部
２  インサート本体
２１  雌ネジ部
２２  アンカー部
２３  胴部
３  ストッパー部材
４  コンクリート
５  型枠
５Ａ  型枠の外側
５Ｂ  型枠の内側
５１  貫通孔
【図１】
0003182737.tif 000003
【図２】
0003182737.tif 000004
【図３】
0003182737.tif 000005
【図４】
0003182737.tif 000006
【手続補正書】
【提出日】平成25年2月1日(2013.2.1)
【手続補正１】
【補正対象書類名】実用新案登録請求の範囲
【補正対象項目名】請求項４
【補正方法】変更
【補正の内容】
【請求項４】
コンクリート構築物のコンクリート内に埋設されることにより該コンクリート構築物に沿って組み立てる足場の支持固定に用いられるインサート本体に螺合して、コンクリート打設用の型枠の規定位置に穿かれた貫通孔に挿通することにより前記インサート本体をコンクリート打設用の型枠の規定位置に仮固定する仮止具において、
前記貫通孔に挿通した際に前記型枠の外側に露出するボルト頭部と、前記型枠の貫通孔の径より大径であり前記ボルト頭部と前記型枠の外側面との間に位置することにより仮止具の型枠内側への位置ズレ乃至は抜け落ちを防止するワッシャー部と、前記型枠の厚みと略等しい厚みであると共に前記貫通孔の内径と略同径以下であり前記貫通孔に挿通されるスリーブ部と、前記インサート本体に螺合するボルト軸部と、を有して成る構築用インサートの仮止具であって、
前記仮止具が、ボルト頭部とワッシャー部とスリーブ部とボルト軸部とが一体的に樹脂成形された構成であることを特徴とする構築用インサートの仮止具。